(57)【要約】【課題】ミシン目から切り離すことなく退避した連帳用紙を前回の印刷位置に確実に戻すことができるプリンタを提供する。【解決手段】連帳用紙と単票用紙等各種帳票に印刷する印刷装置において、連帳用紙の印刷終了（Ｓ４）後、連帳用紙を後退（Ｓ５）して退避させ単票用紙を印刷し（Ｓ７）、その後退避した連帳用紙への印刷を再開（Ｓ１２）する場合、連帳用紙の後退量を記憶（Ｓ５）しておき、後退した連帳用紙を記憶した後退量に基づいて決まる位置まで吸入（Ｓ１０）して印刷を再開する。また、連帳用紙への印刷再開時、記憶した後退量に基づいて決まる位置まで吸入（Ｓ１０）するか、又は通常の用紙セット位置まで吸入（Ｓ１１）するかは、プリンタの初期設定（Ｓ１）で選択することができる。【選択図】      図２
2005047078.tif 000002
【特許請求の範囲】
【請求項１】
印刷媒体の後退量を記憶する記憶部と
前記印刷媒体の吸入又は後退動作を制御する制御部とを備え、
前記印刷媒体を後退させた後吸入する場合、前記記憶された後退量に基づいて決まる位置まで、前記制御部により前記印刷媒体を吸入する印刷装置。
【請求項２】
印刷媒体の後退量を記憶する記憶部と
前記印刷媒体を吸入又は後退動作を制御する制御部とを備え、
前記印刷媒体を後退させた後吸入する場合、前記記憶された後退量に基づいて決まる位置、又は通常の用紙セット位置のいずれかを選択可能な印刷装置。
【請求項３】
前記通常のセット位置まで吸入することを初期設定で選択する請求項２に記載の印刷装置。
【請求項４】
前記記憶された後退量に基づいて決まる位置まで吸入することを初期設定で選択する請求項２に記載の印刷装置。
【請求項５】
前記印刷媒体は連続帳票用紙である請求項１〜４のいずれか１項に記載の印刷装置。
【発明の詳細な説明】
【０００１】
【発明の属する技術分野】
本発明は、印刷装置に関し、特に連続帳票用紙などの連続媒体の給紙量を制御可能な印刷装置に関する。
【０００２】
【従来の技術】
帳票を印刷媒体とする印刷装置あるいはプリンタにおいては、連続帳票用紙（以下、「連帳用紙」という。）や単票用紙などの各種用紙に対して印刷可能になっている。したがって、例えば、連帳用紙の印刷終了後あるいは印刷途中に単票用紙に印刷をしなければならない場合、両者が印刷パスを共有している関係で、いったん連帳用紙をトラクタ位置まで後退させて印刷パスから退避させなければならない。このため、連帳用紙の退避手段が備えられている（特許文献１参照）。そして、単票用紙の印刷が終了した後に連帳用紙に印刷を再開する場合には、再度連帳用紙をセットして印刷をするようにしていた。
【０００３】
【特許文献１】
特開平２−５９３６８号公報
【０００４】
【発明が解決しようとする課題】
このような場合、連帳用紙から単票用紙への切替時に必ず連帳用紙の印刷部分を切り離す場合には、単票用紙の印刷が終了した後、通常のとおり連帳用紙を吸入して印刷を開始すればよいので、それほど問題とはならないが、連帳用紙を切り離すことなく連続使用したい場合も多く、このような場合にあっては、退避した連帳用紙を退避前の位置まで戻す必要があった。すなわち、連帳用紙を通常のセット位置に吸入すると、前回に印字した用紙に印刷してしまうことになるから、オペレータが連帳用紙の印刷を確認しながら、例えば改頁又は改行ボタンを用いて送ることにより、重複印字を避けるようにしていた。しかしながら、オペレータの視認による操作では、オペレータに負担がかかり、操作ミスの可能性もあった。
【０００５】
さらに、連帳用紙への印字目的等により、前回の印刷位置に戻すことなく、同じ１枚の用紙の重ね打ちすなわち重複印字を実行する使用例もある。
【０００６】
本発明は、このような問題に鑑み、オペレータの負担にならずに連帳用紙を前回の印刷位置に確実に戻すことができ、さらに各種の印刷目的に対応できる印刷装置を提供することを目的とする。
【０００７】
【課題を解決するための手段】
本発明は、この目的を達成するために、例えば連帳用紙等の印刷媒体の後退量を記憶する記憶部を備え、印刷媒体を後退させた後吸入する場合、記憶された後退量に基づいて決まる位置まで印刷媒体を吸入する印刷装置を提供する。
【０００８】
このようにすると、オペレータを煩わせることなく確実に前回の印刷位置に戻すことができ、誤って重複印字をすることがなくなる。
【０００９】
また、本発明は、さらに、印刷媒体を後退させた後吸入する場合、前記記憶された後退量に基づいて決まる位置、又は通常の用紙セット位置のいずれかを選択可能とした。
【００１０】
このようにすると、印刷装置の使用実態に応じて適切な位置に印刷媒体を吸入することができる。
【００１１】
【発明の実施の形態】
以下、図面を参照して、本発明の実施の形態を説明する。
【００１２】
図１は、本発明が実施される印刷装置の概略図である。印刷装置すなわちプリンタ１００は、連帳用紙５０がセットされ、トラクタ１０により印字部２０まで送られる。連帳用紙は用紙両側に送り穴を備える連続用紙であって、切り離し用のミシン目で区切られている。また、単票用紙６０をセットすることができ、カセットで連続して供給されるものであっても手差しで挿入されるものでもよい。
【００１３】
図では、ミシン目で区切られた連帳用紙５０に印刷している状態を示す。連帳用紙５０の印刷を終了して、単票用紙６０の印刷をすることになった場合を説明する。連帳用紙への印刷動作を終了させた後、例えば操作パネルの用紙切替ボタンを押すことにより、制御部３００からの信号により連帳用紙５０が後退して退避する。連帳用紙５０は例えば１枚づつトラクタ１０まで後退し、センサ（図示せず）により用紙切れが検出されると、退避動作が終了する。このとき操作パネル上の用紙切れランプ（ＬＥＤ）が点灯することにより退避の終了が指示される。その後単票用紙が吸入され、単票用紙の印刷が開始する。
【００１４】
連帳用紙の退避動作を行うと、通常連帳用紙の１枚分（場合によっては２枚分づつ）連帳用紙が後退する。この場合何回あるいは何枚後退したかの後退量を記憶部２００に記憶しておく。記憶部２００での後退量の記憶の方法は回数であっても長さであってもよく、後退の方法も連続的に後退させてもよい。また、設定モードや後退量を表示する表示部を操作パネル等に設けてもよい。
【００１５】
単票用紙６０の印刷が終了して連帳用紙５０の印刷を再開するに当って、記憶部２００に記憶された後退量を使用して、制御部３００がトラクタ１０を制御し、後退した分だけ連帳用紙を吸入させる。したがって、連帳用紙５０は、前回の印刷終了位置に戻って印刷を開始する。
【００１６】
本発明の連帳用紙５０の印刷を再開する場合に前回の位置まで吸入するという設定は、プリンタ１００の初期設定時に行われることができ、連帳用紙を切り離すことなく使用したいというユーザは、この設定を行うことになる。また、連帳用紙５０を切り離してから退避させた場合も、１枚分の後退量は記憶部２００に記憶され、１枚分の後退量でその後の吸入が制御されるから、連帳用紙を切り離しても問題はない。
【００１７】
また、従来の通常の用紙印刷位置にまで吸入するように設定することも可能で、用紙切替時には必ず連帳用紙を切り離すユーザや、重ね打ちでもよいあるいは積極的に重ね打ちを利用しようとするユーザにも対応している。すなわち、印刷の目的によっては、印字部分が少なかったり偏っていたりして、意図的に１枚の用紙に複数回印字を行うことがあり、このような使い方をする場合には通常の用紙印刷位置に設定して、切り離されない連帳用紙５０を用いて意図的に重ね打ちを行うことができる。
【００１８】
さらに、本発明の印刷位置の設定はプリンタの初期設定で可能としたが、操作パネル上のボタン等で設定・切換可能とすることもできる。
【００１９】
次に、図２を参照して、本発明の１実施形態の動作フローを説明する。図２のフローに示す動作は、連帳用紙の印刷の後、単票用紙を印刷し、その後連帳用紙の印刷を再開して印刷作業を終了するというものである。
【００２０】
まずステップＳ１では、プリンタの初期設定が行われる。そこでは各種プリンタ動作の設定とともに、連帳用紙の印刷再開時に前回の印刷位置まで吸入するか、通常のセット位置まで吸入するかを設定する。前回の印刷位置まで吸入するという設定は、前記のように、連帳用紙の退避に当って後退量を記憶して、その量だけまた連帳用紙を吸入するという設定である。本例では、前回の印刷位置まで吸入すると設定される。
【００２１】
ステップＳ２では、連帳用紙の印刷のために通常のセット位置まで連帳用紙を吸入する。その後ステップＳ３で、連帳用紙への印刷を開始する。連帳用紙の所定の印刷が終了しあるいは一時的に終了する必要が起きた場合、ステップＳ４で印刷終了する。
【００２２】
その後ステップＳ５で連帳用紙を退避するために用紙後退が行われる。通常オペレータが用紙後退ボタンを押すかあるいは用紙切替ボタンを押すことによって後退処理を行う。ここで、用紙後退の後退量が記憶される。
【００２３】
連帳用紙が退避し終わった後、ステップＳ６で単票用紙が吸入され、ステップＳ７で単票用紙の印刷が開始され、ステップＳ８で単票用紙の印刷が終了する。
【００２４】
次いで連帳用紙ボタンあるいは用紙切替ボタンを押して連帳用紙の印刷を再開する。本例では、前回の設定位置まで吸入するとの設定がされているので、ステップＳ１０で、記憶されている後退量だけ連帳用紙が吸入される。
【００２５】
なお、前回の設定位置まで吸入するとの設定に代えて、通常のセット位置まで吸入する設定では、ステップＳ１１で、ステップＳ２と同様に通常のセット位置まで連帳用紙が吸入される。この場合、ステップＳ５において後退量を記憶する必要はない。ただし、前回位置まで戻したい場合があれば、後退量を記憶していれば対応が可能であるから、この設定においてもステップ５の後退量を記憶しておいてもよい。
【００２６】
ここで、ステップ１０のように、記憶されている後退量だけ連帳用紙を吸入する場合は、通常連帳用紙を切り離さないで使用する場合に設定され、ステップ１１は、連帳用紙の印刷を終ると必ず連帳用紙を切り離す場合か、又は重ね打ちでもよいという場合に設定される。なお、前記のように、連帳用紙の印刷終了後連帳用紙が切り離されてもステップ５における後退量のカウントは正常に働くので、連帳用紙を切り離す場合であっても対応できる。
【００２７】
ステップ１２で、印刷の指示により印刷再開位置に自動的に戻って連帳用紙の印刷が再開し、印刷を完了することによって終了する。
【００２８】
本例では、連帳用紙と単票用紙の切替えを例として説明したが、単票用紙の印刷のためだけではなく、他の連帳用紙と切換えて印刷をする場合にも本発明を適用することができる。また、後退量を記憶しておくのは連帳用紙に限定されるものではない。他の連続して印刷可能な媒体に印刷ないし印字する場合にも本発明を適用して後退量を記憶して、印刷再開時に前回印刷位置まで吸入して引き続いて印刷を行うことができる。
【００２９】
なお、連帳用紙の印刷再開にあたっての吸入量は後退量と同一としたが、調整は可能である。また、印刷終了時に自動的に連帳用紙のミシン目を用紙カット位置３０に送り、印刷再開すると印刷開始位置まで戻るいわゆる自動ティアオフ動作が設定されている場合においても、上記説明と同様に吸入される。すなわち、印刷終了時のティアオフ位置からの後退量を記憶することにより、この後退量に基づいてティアオフ位置まで吸入して、印刷再開時に印刷位置に戻して印刷を開始することができる。さらに、吸入時にティアオフ分だけ差し引いて吸入するようなことも可能である。
【図面の簡単な説明】
【図１】本発明を適用する印刷装置の１実施形態を示す概略図である。
【図２】本発明の１実施形態の動作を示すフローチャートである。
【符号の説明】
１００…印刷装置（プリンタ）
２００…記憶部
３００…制御部
２０…印字部
３０…用紙カット位置
５０…連帳用紙
６０…単票用紙
【図１】
2005047078.tif 000003
【図２】
2005047078.tif 000004